(57)【要約】【課題】生産性を十分に確保できる半導体装置の製造方法を提供する。【解決手段】この半導体装置の製造方法では、突起電極２を埋め込むように半導体ウエハ１の回路面Ｓ１に絶縁性樹脂層３を形成する。そして、絶縁性樹脂層３側にダイシングテープ４を貼り付けた状態で半導体ウエハ１を薄化し、薄化した半導体ウエハ１を絶縁性樹脂層３と共にダイシングしている。この方法では、回路面Ｓ１に絶縁性樹脂層３を有する半導体チップ１０をダイシングによって一括形成できる。また、絶縁性樹脂層３の表面にダイシングテープ４を貼り付けた状態で半導体ウエハ１の薄化を行うので、特別な処理を要せずにダイシング時の研削屑が絶縁性樹脂層３に付着することを防止できる。そして、半導体チップ１０と実装基板１２との接続と同時に絶縁性樹脂層３による封止も完了するので、優れた生産性が得られる。【選択図】図５
2009260213.tif 000002
【特許請求の範囲】
【請求項１】
回路面に突起電極を有する半導体ウエハに対し、前記突起電極を埋め込むように前記回路面に絶縁性樹脂層を形成する樹脂層形成工程と、
前記絶縁性樹脂層の表面にダイシングテープを貼り付けて固定するダイシングテープ固定工程と、
前記ダイシングテープに固定された状態で、前記半導体ウエハを前記回路面の反対面側から研削して薄化するウエハ薄化工程と、
前記反対面側から前記絶縁性樹脂層を含めて前記半導体ウエハをダイシングし、複数の半導体チップに個片化するダイシング工程と、
前記半導体チップにおける前記絶縁性樹脂層の表面に実装基板を押圧して所定の接続温度で加熱し、前記半導体チップの前記突起電極と前記実装基板の電極とを電気的に接続すると共に、前記半導体チップの前記回路面と前記実装基板の表面との間を前記絶縁性樹脂層によって封止する基板実装工程と、を備えたことを特徴とする半導体装置の製造方法。
【請求項２】
前記基板実装工程の前工程として、
前記半導体チップの前記突起電極を前記実装基板の電極に対して位置合わせする位置合わせ工程と、
前記位置合わせ工程の後、前記半導体チップにおける前記絶縁性樹脂層の表面に実装基板を押圧して前記接続温度よりも低い温度で加熱し、前記半導体チップと前記実装基板とを仮固定する仮固定工程と、を備えたことを特徴とする請求項１記載の半導体装置の製造方法。
【請求項３】
前記ダイシング工程において、赤外線カメラを用いて前記半導体ウエハの前記反対面側から前記回路面のダイシングパターンを撮像することを特徴とする請求項１又は２記載の半導体装置の製造方法。
【請求項４】
前記絶縁性樹脂層を形成する材料として、可視光に対する光透過率が１０％以上の樹脂を用いることを特徴とする請求項１〜３のいずれか一項記載の半導体装置の製造方法。
【請求項５】
前記絶縁性樹脂層を形成する材料として、前記接続温度において樹脂発泡を起こさない樹脂を用いることを特徴とする請求項１〜４のいずれか一項記載の半導体装置の製造方法。
【請求項６】
前記樹脂層形成工程において、フィルム状の樹脂組成物をラミネートすることによって前記回路面に前記絶縁性樹脂層を形成することを特徴とする請求項１〜５のいずれか一項記載の半導体装置の製造方法。
【請求項７】
前記絶縁性樹脂層は、ポリイミド樹脂、エポキシ樹脂、及び硬化剤を含むことを特徴とする請求項１〜６のいずれか一項記載の半導体装置の製造方法。
【発明の詳細な説明】
【技術分野】
【０００１】
本発明は、半導体装置の製造方法に関する。
【背景技術】
【０００２】
従来、半導体チップを実装基板に接続する手法としてワイヤーボンディング接続が知られている。しかしながら、近年では、電子機器の小型化・薄型化に伴って、半導体チップを搭載する半導体装置に対する小型化・薄型化の要求が高まっている。そのため、従来のワイヤーボンディング接続に代えて、半導体チップにバンプ（突起電極）を形成することによって半導体チップを実装基板に直接接続するフリップチップ接続が着目されている。
【０００３】
フリップチップ接続には、ハンダや錫などを用いて金属接合させる方法、超音波振動を印加して金属接合させる方法、樹脂の収縮力を利用して機械的接触を保持する方法などがある。信頼性を確保する観点から、上述の電子機器に用いる半導体装置では、特にハンダを用いた実装が多用されている。
【０００４】
一方、フリップチップ接続では、半導体チップと実装基板との間の熱膨張係数の相違に起因する接続部への応力集中が問題となる。このような応力集中は、接続部の破断につながり、接続信頼性を低下させる要因となり得る。そのため、従来では、毛細管現象を利用した液状樹脂の注入により、半導体チップと実装基板との間の空隙の封止が行われていた。
【０００５】
このような従来の封止方法では、例えば液晶ドライバＩＣの実装パッケージであるＣＯＦ（Ｃｈｉｐ  Ｏｎ  Ｆｉｌｍ）のように、半導体チップが狭ピッチ化し、かつ半導体チップと基板との空隙が狭くなりつつある現状では、液状樹脂の注入が困難になる場合があった。そこで、液状樹脂の注入の問題に対処するため、半導体チップ又は実装基板に予め封止用のペースト状又はフィルム状の樹脂を設けて接続と同時に封止を行う手法が開発され、かかる封止に適したシート状の樹脂の組成などについての研究が進められている（特許文献１〜５参照）。
【特許文献１】特開２００４−３４９５６１号公報
【特許文献２】特開２０００−１００８６２号公報
【特許文献３】特開２００３−１４２５２９号公報
【特許文献４】特開２００１−３３２５２０号公報
【特許文献５】特開２００５−２８７３４号公報
【発明の開示】
【発明が解決しようとする課題】
【０００６】
ところで、上述した半導体装置の製造工程には、半導体装置の薄型化や半導体チップの多段積層に対応するため、半導体ウエハの状態でバックグラインド加工と呼ばれる研削を行う工程や、薄化した後の半導体ウエハをダイシングして半導体チップに個片化する工程などが含まれている。そのため、封止用の樹脂を設けて接続と同時に封止を行うにあたっては、各工程における作業性を高め、半導体装置の生産性を十分に確保することが求められている。
【０００７】
本発明は、上記課題の解決のためになされたものであり、生産性を十分に確保できる半導体装置の製造方法を提供することを目的とする。
【課題を解決するための手段】
【０００８】
上記課題の解決のため、本発明に係る半導体装置の製造方法は、回路面に突起電極を有する半導体ウエハに対し、突起電極を埋め込むように回路面に絶縁性樹脂層を形成する樹脂層形成工程と、絶縁性樹脂層の表面にダイシングテープを貼り付けて固定するダイシングテープ固定工程と、ダイシングテープに固定された状態で、半導体ウエハを回路面の反対面側から研削して薄化するウエハ薄化工程と、反対面側から絶縁性樹脂層を含めて半導体ウエハをダイシングし、複数の半導体チップに個片化するダイシング工程と、半導体チップにおける絶縁性樹脂層の表面に実装基板を押圧して所定の接続温度で加熱し、半導体チップの突起電極と実装基板の電極とを電気的に接続すると共に、半導体チップの回路面と実装基板の表面との間を絶縁性樹脂層によって封止する基板実装工程と、を備えたことを特徴としている。
【０００９】
この半導体装置の製造方法では、突起電極を埋め込むように半導体ウエハの回路面に絶縁性樹脂層を形成する。そして、絶縁性樹脂層側にダイシングテープを貼り付けた状態で半導体ウエハを薄化し、薄化した半導体ウエハを絶縁性樹脂層と共にダイシングする。この方法では、回路面に絶縁性樹脂層を有する半導体チップをダイシングによって一括形成できるので、絶縁性樹脂層を半導体チップや実装基板に個別に設ける場合と比べて作業性に優れたものとなる。また、絶縁性樹脂層の表面にダイシングテープを貼り付けた状態で半導体ウエハの薄化を行うので、特別な処理を要せずにダイシング時の研削屑が絶縁性樹脂層に付着することを防止できる。このことは、研削屑の付着を原因とする絶縁不良や、ボイドの発生などの防止に寄与する。以上により、この半導体装置の製造方法では、十分な生産性を確保できる。
【００１０】
また、基板実装工程の前工程として、半導体チップの突起電極を実装基板の電極に対して位置合わせする位置合わせ工程と、位置合わせ工程の後、半導体チップにおける絶縁性樹脂層の表面に実装基板を押圧して接続温度よりも低い温度で加熱し、半導体チップと実装基板とを仮固定する仮固定工程と、を備えたことが好ましい。位置合わせ工程と基板実装工程とを分離することにより、絶縁性樹脂層の硬化が進行してしまうことを抑制できる。これにより、半導体チップと実装基板とを一層好適に接続できる。
【００１１】
また、ダイシング工程において、赤外線カメラを用いて半導体ウエハの反対面側から回路面のダイシングパターンを撮像することが好ましい。こうすると、ダイシングを行う反対面側から回路面のダイシングパターンを精度良く認識できる。したがって、ダイシングの際の作業性を向上できる。
【００１２】
また、絶縁性樹脂層を形成する材料として、可視光に対する光透過率が１０％以上の樹脂を用いることが好ましい。こうすると、半導体ウエハの回路面に半導体チップごとの位置合わせ用の基準マークを設けたときに、絶縁性樹脂層を通して基準マークを容易に認識できる。したがって、半導体チップと実装基板との位置合わせの作業性を向上できる。
【００１３】
また、絶縁性樹脂層を形成する材料として、接続温度において樹脂発泡を起こさない樹脂を用いることが好ましい。この場合、半導体チップと実装基板とを接続する際に、絶縁性樹脂層におけるボイドの発生を抑制できるので、接続信頼性の向上が図られる。
【００１４】
また、樹脂層形成工程において、フィルム状の樹脂組成物をラミネートする方法によって回路面に絶縁性樹脂層を形成することが可能である。この場合、取り扱いが簡便なフィルム状の樹脂組成物を用いることによって高い作業性を確保することができる。
【００１５】
また、絶縁性樹脂層は、ポリイミド樹脂、エポキシ樹脂、及び硬化剤を含むことが好ましい。この場合、絶縁性樹脂層の高耐熱性及び封止後の高い接続信頼性を確保できる。
【発明の効果】
【００１６】
本発明に係る半導体装置の製造方法によれば、生産性を十分に確保できる。
【発明を実施するための最良の形態】
【００１７】
以下、図面を参照しながら、本発明に係る半導体装置の製造方法の好適な実施形態について詳細に説明する。
【００１８】
この半導体装置の製造方法は、例えば液晶ディスプレイ（ＬＣＤ）用ドライバＩＣのＣＯＦ（Ｃｈｉｐ  Ｏｎ  Ｆｉｌｍ）実装に適用される。まず、図１に示すように、半導体ウエハ１を準備する。半導体ウエハ１は、例えば厚さ６００μｍ〜７２５μｍ程度の円板状をなしている。半導体ウエハ１の回路面Ｓ１には、例えば金メッキによって形成された複数の突起電極２が所定のピッチで設けられている。また、回路面Ｓ１には、半導体ウエハ１のダイシングの際に用いるダイシングパターンと、突起電極２を後述の実装基板１２の電極１５と位置合わせするための基準マークが形成されている（いずれも不図示）。
【００１９】
次に、図２に示すように、突起電極２を埋め込むように半導体ウエハ１の回路面Ｓ１に絶縁性樹脂層３を形成する（樹脂層形成工程）。絶縁性樹脂層３は、半導体チップ１０の表面と実装基板１２の表面との間の封止に用いられる層であり（図８参照）、絶縁性樹脂層３の厚みは、例えば突起電極２の高さと実装基板１２の電極１５の高さを合わせた値と同程度になっていることが好ましい。
【００２０】
絶縁性樹脂層３は、作業性の確保の観点から、例えばフィルム状樹脂をロールラミネータや真空ラミネータなどで貼り合わせることによって形成することが好ましい。この他、絶縁性樹脂層３は、例えば樹脂ワニスをスピンコートによって塗布し、これを乾燥させて形成してもよく、樹脂ワニスやペースト状樹脂を印刷法によって塗布し、これを乾燥させて形成してもよい。
【００２１】
絶縁性樹脂層３を形成する材料には、半導体ウエハ１の回路面Ｓ１に形成されている基準マークを絶縁性樹脂層３を通して認識できるように、可視光に対する透過性を有する樹脂組成物が選択される。絶縁性樹脂層３の光透過率は、例えば可視光である波長５５５ｎｍの光に対して１０％以上であることが好ましい。また、絶縁性樹脂層３を形成する材料には、半導体チップ１０と実装基板１２との接続温度（例えば３００℃以上）において、樹脂発泡を起こさない樹脂組成物が選択される。
【００２２】
より具体的には、絶縁性樹脂層３は、熱硬化性成分と、その硬化剤とを含んで構成されている。熱硬化性成分としては、例えばエポキシ樹脂、ビスマレイミド樹脂、ポリアミド樹脂、ポリイミド樹脂、トリアジン樹脂、シアノアクリレート樹脂、フェノール樹脂、不飽和ポリエステル樹脂、メラミン樹脂、尿素樹脂、ベンゾオキサジン樹脂、ポリウレタン樹脂、ポリイソシアネート樹脂、フラン樹脂、レゾルシノール樹脂、キシレン樹脂、ベンゾグアナミン樹脂、ジアリルフタレート樹脂、シリコーン樹脂、ポリビニルブチラール樹脂、シロキサン変性エポキシ樹脂、シロキサン変性ポリアミドイミド樹脂、アクリレート樹脂などが挙げられる。これらの熱硬化性成分のうち、耐熱性の観点から特に好ましいのは、エポキシ樹脂、ベンゾオキサジン樹脂、シロキサン変性エポキシ樹脂、シロキサン変性ポリアミドイミド樹脂である。これらの樹脂は、単独または二種以上の混合物として使用することができる。
【００２３】
また、硬化剤としては、例えばフェノール樹脂、脂肪族アミン、脂環式アミン、芳香族ポリアミン、ポリアミド、脂肪族酸無水物、脂環式酸無水物、芳香族酸無水物、ジシアンジアミド、有機酸ジヒドラジド、三フッ化ホウ素アミン錯体、イミダゾール類、第３級アミン、有機過酸化物などが挙げられる。これらは、単独または二種以上の混合物として使用することができる。熱硬化性成分と硬化剤の組み合わせのうち、耐熱性及び形状保持性の観点から特に好ましいのは、エポキシ樹脂とフェノール樹脂、及びエポキシ樹脂とイミダゾール類である。
【００２４】
また、絶縁性樹脂層３は、熱可塑性成分を含んでいてもよい。熱可塑性成分としては、例えばポリエステル樹脂、ポリエーテル樹脂、ポリアミド樹脂、ポリアミドイミド樹脂、ポリイミド樹脂、ポリアクリレート樹脂、ポリビニルブチラール樹脂、ポリウレタン樹脂、フェノキシ樹脂、ポリアクリレート樹脂、ポリブタジエン、アクリロニトリルブタジエン共重合体、アクリロニトリルブタジエンゴムスチレン樹脂、スチレンブタジエン共重合体、アクリル酸共重合体などが挙げられる。これらは、単独または二種以上を併用して使用することができる。これらの熱可塑性成分のうち、耐熱性及びフィルム形成性の観点から特に好ましいのは、ポリイミド樹脂及びフェノキシ樹脂である。
【００２５】
さらに、絶縁性樹脂層３は、低熱膨張化のための無機フィラーを含んでいてもよい。無機フィラーは、可視光に対する光透過率が１０％を下回らないように、フィラー種、粒径、配合量が適宜選択される。この他、絶縁性樹脂層３は、硬化促進剤、シランカップリング剤、チタンカップリング剤、酸化防止剤、レベリング剤、イオントラップ剤などの添加剤を含んでいてもよい。これらは単独で用いてもよいし、２種以上を組み合わせてもよい。配合量は、添加剤ごとに適宜選択される。
【００２６】
このような絶縁性樹脂層３の形成の後、図３に示すように、絶縁性樹脂層３の表面にダイシングテープ４を貼り付け、半導体ウエハ１をダイシングテープ４上に固定する（ダイシングテープ固定工程）。また、ダイシングテープ４上に、半導体ウエハ１を囲む金属製のウエハリング５を固定する。このウエハリング５は、ダイシングの際の半導体ウエハ１の固定治具として機能する。ダイシングテープ４は、加熱又は紫外線照射によって粘着層の粘着力が低下するものが用いられる。
【００２７】
次に、半導体ウエハ１を回路面Ｓ１の反対面Ｓ２側から研削して薄化する（ウエハ薄化工程）。ウエハ薄化工程では、図４に示すように、ダイシングテープ４に固定された半導体ウエハ１を、回路面Ｓ１と反対の反対面Ｓ２が上方を向くようにして研削装置のステージ６上に載置する。そして、研削砥石７を回転させながら半導体ウエハ１の反対面Ｓ２に押圧し、半導体ウエハ１の厚みが例えば５０μｍ〜５５０μｍ程度となるように薄化する。
【００２８】
続いて、半導体ウエハ１をダイシングし、複数の半導体チップ１０に個片化する（ダイシング工程）。ダイシング工程では、図５に示すように、ダイシングテープ４及びウエハリング５を固定したままの状態で、薄化した後の半導体ウエハ１をダイシング装置のステージ８上に載置する。次に、赤外線カメラ９を用いることにより、半導体ウエハ１の回路面Ｓ１に形成されているダイシングパターンを反対面Ｓ２側から認識する。
【００２９】
そして、ダイシングブレード１１によって絶縁性樹脂層３を含めて半導体ウエハ１をダイシングし、半導体ウエハ１を複数の半導体チップ１０に個片化する。半導体チップ１０のサイズについては特に制限はないが、液晶ディスプレイ用ドライバＩＣのＣＯＦでは、例えば１ｍｍ〜３ｍｍ×１０ｍｍ〜２５ｍｍの長方形サイズとなる。この後、ダイシングテープ４に紫外線を照射して粘着層を硬化させ、半導体チップ１０をダイシングテープ４から剥離する。
【００３０】
次に、個片化した半導体チップ１０を実装基板１２に対して位置合わせする（位置合わせ工程）。位置合わせ工程では、まず、半導体チップ１０をピックアップ装置によってピックアップし、図６に示すように、回路面Ｓ１が下方を向くようにして位置合わせヘッド１３の底面に吸着させる。次に、位置合わせヘッド１３を位置合わせ装置のステージ１４上に移送する。
【００３１】
位置合わせ装置のステージ１４には、回路面Ｓ３が上方を向くようにして実装基板１２が予め載置されている。実装基板１２の回路面Ｓ３には、例えば銅表面に錫めっきが施された複数の電極１５と、半導体チップ１０側の基準マークに対応する基準マーク（不図示）が形成されており、実装基板１２に形成された基準マークと半導体チップ１０側の基準マークとの相対的な位置関係が規定されている。そして、認識カメラ１６を用いることにより、２つの基準マークを認識し、規定された位置関係に一致するように位置合わせヘッド１３又はステージ１４の位置を調整し、半導体チップ１０の突起電極２を実装基板１２の電極１５に対して位置合わせする。
【００３２】
位置合わせ工程の後、半導体チップ１０と実装基板１２とを仮固定する（仮固定工程）。仮固定工程では、図７に示すように、位置合わせヘッド１３を降下させ、半導体チップ１０における絶縁性樹脂層３の表面に実装基板１２を押圧すると共に、接続温度よりも低い温度で加熱を行う。このときの加熱温度は、絶縁性樹脂層３が粘着性を示す温度であればよく、例えば４０℃〜１００℃の範囲で設定される。これにより、半導体チップ１０と実装基板１２とが位置ずれしない程度の強度で固定される。
【００３３】
次に、半導体チップ１０の突起電極２を実装基板１２の電極１５に接続する（基板実装工程）。基板実装工程では、まず、仮固定状態の半導体チップ１０と実装基板１２とを接続装置のステージ１８上に載置する。そして、図８に示すように、接続ヘッド１７によって半導体チップ１０における絶縁性樹脂層３の表面に実装基板１２を押圧しながら、約３００℃の接続温度で加熱を行う。
【００３４】
これにより、半導体チップ１０の突起電極２と実装基板１２の電極１５とが電気的に接続されると共に、絶縁性樹脂層３が加熱によって溶融し、半導体チップ１０の回路面Ｓ１と実装基板１２の表面との間が絶縁性樹脂層３によって封止される。なお、絶縁性樹脂層３の加熱にあたっては、接続ヘッド１７及びステージ１８のいずれを加熱してもよい。また、溶融後の絶縁性樹脂層３の硬化を進行させるために、加熱オーブン等による処理を行ってもよい。
【００３５】
以上説明したように、本実施形態に係る半導体装置の製造方法では、突起電極２を埋め込むように半導体ウエハ１の回路面Ｓ１に絶縁性樹脂層３を形成する。そして、絶縁性樹脂層３側にダイシングテープ４を貼り付けた状態で半導体ウエハ１を薄化し、薄化した半導体ウエハ１を絶縁性樹脂層３と共にダイシングしている。
【００３６】
この方法では、回路面Ｓ１に絶縁性樹脂層３を有する半導体チップ１０をダイシングによって一括形成できるので、絶縁性樹脂層３を半導体チップ１０や実装基板１２に個別に設ける場合と比べて作業性に優れたものとなる。また、絶縁性樹脂層３の表面にダイシングテープ４を貼り付けた状態で半導体ウエハ１の薄化を行うので、特別な処理を要せずにダイシング時の研削屑が絶縁性樹脂層３に付着することを防止できる。このことは、研削屑の付着を原因とする絶縁不良や、ボイドの発生などの防止に寄与する。そして、半導体チップ１０と実装基板１２との接続と同時に絶縁性樹脂層３による封止も完了するので、優れた生産性が得られる。
【００３７】
また、本実施形態では、基板実装工程の前工程として、半導体チップ１０の突起電極２を実装基板１２の電極１５に対して位置合わせする位置合わせ工程と、位置合わせ工程の後に半導体チップ１０と実装基板１２とを仮固定する仮固定工程とを備えている。位置合わせと接続とを同工程で行う場合、位置合わせの際に絶縁性樹脂層３が３００℃程度で加熱され続けることとなり、熱履歴によって絶縁性樹脂層３の硬化が進行してしまう可能性がある。これに対し、本実施形態では、位置合わせ工程と基板実装工程とを分離することにより、位置合わせ中に絶縁性樹脂層３の硬化が進行してしまうことを抑制でき、半導体チップ１０と実装基板１２とを好適に接続できる。
【００３８】
また、本実施形態では、ダイシング工程において、赤外線カメラ９を用いて半導体ウエハ１の反対面Ｓ２側から回路面Ｓ１のダイシングパターンを撮像しているので、ダイシングを行う反対面Ｓ２側から回路面Ｓ１のダイシングパターンを精度良く認識できる。したがって、ダイシングの際の作業性を向上できる。
【００３９】
また、本実施形態では、絶縁性樹脂層３を形成する材料として、可視光に対する光透過率が１０％以上の樹脂を用いている。このため、絶縁性樹脂層３を通して半導体ウエハ１の回路面Ｓ１に設けた位置合わせ用の基準マークを容易に認識できる。したがって、半導体チップ１０と実装基板１２との位置合わせの作業性を向上できる。
【００４０】
また、本実施形態では、絶縁性樹脂層３を形成する材料として、接続温度において樹脂発泡を起こさない樹脂を用いている。これにより、半導体チップ１０と実装基板１２とを接続する際に、絶縁性樹脂層３におけるボイドの発生を抑制できるので、接続信頼性の向上が図られる。
【００４１】
本発明は、上記実施形態に限られるものではない。例えば位置合わせ工程以降の変形例として、図９に示すように、回路面Ｓ１が上方を向くようにして位置合わせ装置のステージ１４上に半導体チップ１０を載置すると共に、電極２１が下方を向くようにして可視光に対する光透過率の高いポリイミド基板２２を半導体チップ１０の真上に配置し、ポリイミド基板２２の上方に配置した認識カメラ１６によって半導体チップ１０の基準マークとポリイミド基板２２の基準マークとを認識するようにしてもよい。
【００４２】
この場合、後続の仮固定工程において、図１０に示すように、圧着ヘッド２３によってポリイミド基板２２の上面側から押圧すると共に、圧着ヘッド２３又はステージ１４を例えば４０℃〜１００℃で加熱する。そして、基板実装工程において、図１１に示すように、仮固定された半導体チップ１０とポリイミド基板２２とを接続装置のステージ１８に載置し、接続ヘッド１７によって半導体チップ１０における絶縁性樹脂層３の表面にポリイミド基板２２を押圧しながら所定の接続温度で加熱を行う。接続温度は、金と錫の共晶温度である２７８℃を超えるように設定され、例えばステージ１８を３５０℃〜４５０℃で加熱し、接続ヘッド１７を５０℃〜１５０℃で加熱する。このような接続方法は、ポリイミド基板２２をリールｔｏリール方式によって扱うことで適用可能となっている。
【図面の簡単な説明】
【００４３】
【図１】本発明の一実施形態に係る半導体装置の製造方法の第１工程を示す図である。
【図２】樹脂層形成工程を示す図である。
【図３】ダイシングテープ固定工程を示す図である。
【図４】ウエハ薄化工程を示す図である。
【図５】ダイシング工程を示す図である。
【図６】位置合わせ工程を示す図である。
【図７】仮固定工程を示す図である。
【図８】基板実装工程を示す図である。
【図９】位置合わせ工程の変形例を示す図である。
【図１０】仮固定工程の変形例を示す図である。
【図１１】基板実装工程の変形例を示す図である。
【符号の説明】
【００４４】
１…半導体ウエハ、２…突起電極、３…絶縁性樹脂層、４…ダイシングテープ、９…赤外線カメラ、１０…半導体チップ、１２…実装基板、１３…電極、Ｓ１…回路面、Ｓ２…反対面。
【図１】
2009260213.tif 000003
【図２】
2009260213.tif 000004
【図３】
2009260213.tif 000005
【図４】
2009260213.tif 000006
【図５】
2009260213.tif 000007
【図６】
2009260213.tif 000008
【図７】
2009260213.tif 000009
【図８】
2009260213.tif 000010
【図９】
2009260213.tif 000011
【図１０】
2009260213.tif 000012
【図１１】
2009260213.tif 000013